(57)【特許請求の範囲】
【請求項１】
携帯機に無線信号を送信する送信機と、携帯機から発信された無線信号を受信する受信機とを備えると共に、前記受信機の受信信号を信号処理するコントローラによって施解錠の制御モードにする電気錠機構と、前記コントローラに設けて施解錠制御を開始させるスイッチ機構とを備えた扉用の施解錠装置において、
前記した送信機、受信機、スイッチ機構を設けたコントローラと前記電気錠機構を備えて構成した錠本体と、
前記スイッチ機構の操作釦を設けて前記錠本体のハウジング外に付設した操作錠部とを備え、
さらに、前記操作錠部の操作釦の押動に連動して前記錠本体内のスイッチ機構をスイッチ動作させる連動機構を備えたことを特徴とする扉用の施解錠装置。
【請求項２】
請求項１に記載した扉用の施解錠装置において、
前記操作錠部は、前記スイッチ機構の操作釦と共にシリンダ錠を付設したことを特徴とする扉用の施解錠装置。
【請求項３】
請求項１に記載した扉用の施解錠装置において、
前記スイッチ機構は、前記コントローラが有するプリント基板に搭載させたプッシュスイッチとして構成し、
前記連動機構は、前記操作釦の操作に連動した前記プッシュスイッチを動作させる駆動部材として構成したことを特徴とする扉用の施解錠装置。
【請求項４】
請求項３に記載した扉用の施解錠装置において、
前記連動機構は、前記操作釦に押動されるようにした前記操作錠部に設けた連動部材と、一端部を前記プッシュスイッチに対接させ、他端部を前記錠本体のハウジング内から進退自在に突出させて前記連動部材に連結させた伝達部材とより構成したことを特徴とする扉用の施解錠装置。
【請求項５】
請求項１に記載した扉用の施解錠装置において、
前記携帯機から発信される無線信号は、前記送信機から発信される無線信号に対し高い周波数帯の信号として設定したことを特徴とする扉用の施解錠装置。
【請求項６】
請求項１に記載した扉用の施解錠装置において、
前記送信機は操作錠部に設け、この送信機は前記コントローラのプリント基板に電気接続したことを特徴とする扉用の施解錠装置。
【請求項７】
請求項４に記載した扉用の施解錠装置において、
前記プッシュスイッチの近くには、施解錠動作にしたがって発光色を変える発光部を配置すると共に、前記連動部材および前記伝達部材を透光材で形成し、連動部材および伝達部材を通った発光部の光を前記操作釦の近くに設けた透光材の標示部に導く構成としたことを特徴とする扉用の施解錠装置。
【発明の詳細な説明】
【技術分野】
【０００１】
この発明は、電気錠機構やコントローラを備える錠本体に操作錠部を付設した構成の扉用の施解錠装置に関し、操作錠部の小型化に適する施解錠装置を提供するものである。
【背景技術】
【０００２】
携帯機から送信した無線信号によって施解錠モードに移行させた状態でタッチスイッチを操作し施錠または解錠を実行させる構成の扉用の施解錠装置が広く知られている。
図６はこの種の施解錠装置の従来例を示し、（Ａ）図は建物用ドアの室外側の一部を示す斜視図、（Ｂ）図はそのドアの室内側一部を示す斜視図である。
【０００３】
図示する如く、ドア１０の室外側には、施解錠装置の外側錠部（操作錠部）１１と、外側ハンドル１２と、補助シリンダ錠部１３とが設けられており、また、このドア１０には埋設するようにして施解錠装置のコントローラ１４が配設されている。
【０００４】
外側錠部１１には、図７に示した拡大正面図より分かる通り、その正面にはシリンダ錠のキー挿入部１５、スイッチ釦１６、施解錠の表示部１７、無線信号の送受信部所１８が備えられている。
【０００５】
また、この外側錠部１１のケース２３の内部には、図８に示したように、送信アンテナ１９、受信アンテナ２０、送信アンテナ１９に接近させて配置されたコンデンサ２１、その他、スイッチ釦１６に連動するスイッチ部などが配設された基板２２が設けられている。
【０００６】
一方、図６（Ｂ）に示すように、ドア１０の室内側には、内側錠部３１、内側ハンドル３２、補助サムターン３３が設けられている。
内側錠部３１は、サムターン装置と送受信機とをユニット化した構成としてあり、その正面にはサムターン３４、スイッチ釦３５などが設けられている。
【０００７】
上記した施解錠装置は、コントローラ１４の制御下にチャレンジコード信号と呼び出し信号とが順次送信アンテナ１９から繰り返し出力される。
このようなチャレンジコード信号と呼び出し信号とが携帯機２５によって受信されると、携帯機２５がレスポンスコード信号を出力し、このレスポンスコード信号が受信アンテナ２０によって受信される。
【０００８】
したがって、受信アンテナ２０によって受信されたレスポンスコード信号がコントローラ１４によって信号処理され、適正な信号であることが確認されたときに、施解錠モードとなる。
この施解錠モードにおいてスイッチ釦１６を操作すれば、そのスイッチ信号にしたがって施解錠機構２４が施解錠動作する。
すなわち、施錠状態となっているデッドボルトを後退させて解錠させる。
【０００９】
なお、解錠した後、ドアを開閉したとき、または、所定時間内にドアを開閉しないときは、自動的に施錠される。
また、補助シリンダ錠１３は、キー操作によって施解錠機構２６を施解錠動作させる。
【００１０】
上記したような施解錠装置は、施解錠モードに移行させた状態でスイッチ釦１６を操作して解錠させるため、施解錠する者が自己の意志による操作によって確認することができると言う効果がある。
【先行技術文献】
【特許文献】
【００１１】
【特許文献１】特許第４０７８６６５号公報
【発明の概要】
【発明が解決しようとする課題】
【００１２】
上記した施解錠装置の外側錠部１１は、送信アンテナ１９、受信アンテナ２０、コンデンサ２１、スイッチ部を構成する電子部品などが搭載された基板２２が内装されているために形態が大きなものとなり、ドア１０の外面からの突出高さが増大すると言う問題がある。
そこで、本発明では、外側錠部に対応する操作錠部を構成簡単にして可能なる限り小型化することができる施解錠装置を提供することを目的とする。
【課題を解決するための手段】
【００１３】
本発明は上記した目的を達成するため、第１の発明として、携帯機に無線信号を送信する送信機と、携帯機から発信された無線信号を受信する受信機とを備えると共に、前記受信機の受信信号を信号処理するコントローラによって施解錠の制御モードにする電気錠機構と、前記コントローラに設けて前記施解錠制御を開始させるスイッチ機構とを備えた扉用の施解錠装置において、前記した送信機、受信機、スイッチ機構を設けたコントローラと前記電気錠機構を備えて構成した錠本体と、前記スイッチ機構の操作釦を設けて前記錠本体のハウジング外に付設した操作錠部とを備え、さらに、前記操作錠部の操作釦の押動に連動して前記錠本体内のスイッチ機構をスイッチ動作させる連動機構を備えたことを特徴とする扉用の施解錠装置を提案する。
【００１４】
第２の発明としては、上記した第１発明の施解錠装置において、前記操作錠部は、前記スイッチ機構の操作釦と共にシリンダ錠を付設したことを特徴とする扉用の施解錠装置を提案する。
【００１５】
第３の発明としては、上記した第１の発明の施解錠装置において、前記スイッチ機構は、前記コントローラが有するプリント基板に搭載させたプッシュスイッチとして構成し、前記連動機構は、前記操作釦の操作に連動した前記プッシュスイッチを動作させる駆動部材として構成したことを特徴とする扉用の施解錠装置を提案する。
【００１６】
第４の発明としては、上記した第１の発明の施解錠装置において、前記連動機構は、前記操作釦に押動されるようにした前記操作錠部に設けた連動部材と、一端部を前記プッシュスイッチに対接させ、他端部を前記錠本体のハウジング内から進退自在に突出させて前記連動部材に連結させた伝達部材とより構成したことを特徴とする扉用の施解錠装置を提案する。
【００１７】
第５の発明としては、上記した第１の発明の施解錠装置において、前記携帯機から発信される無線信号は、前記送信機から発信される無線信号に対し高い周波数帯の信号として設定したことを特徴とする扉用の施解錠装置を提案する。
【００１８】
第６の発明としては、上記した第１の発明の施解錠装置において、前記送信機は前記操作錠部に設け、この送信機は前記コントローラのプリント基板に電気接続したことを特徴とする扉用の施解錠装置を提案する。
【００１９】
第７の発明としては、上記した第３の発明の施解錠装置において、前記プッシュスイッチの近くには、施解錠動作にしたがって発光色を変える発光部を配置すると共に、前記連動部材および前記伝達部材を透光材で形成し、連動部材および伝達部材を通った発光部の光を前記操作釦の近くに設けた透光材の標示部に導く構成としたことを特徴とする扉用の施解錠装置を提案する。
【発明の効果】
【００２０】
第１の発明の施解錠装置の操作錠部は、スイッチ機構の操作釦とスイッチ動作させる連動機構とを備えた構成としてある。
したがって、従来例の外側錠部のように、送信アンテナ、受信アンテナ、コンデンサ、スイッチ部、その他の電子部品などを搭載させたプリント基板を備える必要がないので、操作錠部の構成が簡単となる他、操作錠部の小型化が可能になる。
この結果、扉面からの突出高を少なくすることができる操作錠部を有する施解錠装置の提供ができる。
【００２１】
第２の発明の施解錠装置は、操作錠部は、前記スイッチ機構の操作釦と共にシリンダ錠を付設した構成としてある。シリンダ錠を部分的に錠本体に挿入させれば扉面からの突出高を少なくすることができ、連動機構とシリンダ錠を集約した操作錠部としても、構成が簡単で小型化が可能な操作錠部を有する施解錠装置の提供ができる。
【００２２】
第３の発明の施解錠装置は、スイッチ機構については、コントローラが有するプリント基板に搭載させたプッシュスイッチとして構成し、連動機構は、操作釦の操作に連動した前記プッシュスイッチを動作させる駆動部材として構成したことが特徴となっており、第１の発明と同様の効果が期待できる。
【００２３】
第４の発明の施解錠装置は、操作釦によって連動される連動機構について、操作錠部に設けた連動部材と、一端部を前記プッシュスイッチに対接させ、他端部を前記錠本体のハウジング内から進退自在に突出させて前記連動部材に連結させた伝達部材とより構成したことが特徴となっており、第１の発明と同様の効果が期待できる。
【００２４】
第５の発明の施解錠装置は、携帯機から発信させる無線信号の周波数に対し、送信機から発信させる無線信号の周波数を低く設定し、周辺無線機器への電波障害を防ぐと共に、携帯機を所持する者の検出が有利となるようになっている。
【００２５】
第６の発明の施解錠装置は、送信機を操作錠部に設けることが特徴となっている。
送信機を錠本体内のコントローラに設けると、送信機から発信させる無線信号がドアの材質などによって反射され、充分に伝達されないことがあるため、このような場合に送信機を操作部に備える構成とする。
このように構成しても、操作錠部には、多くの電子部品を搭載させたプリント基板を備えないから、小型化には有利となる。
【００２６】
第７の発明の施解錠装置は、錠本体内に施解錠動作にしたがって発光色を変える発光部を設けたこと、また、連動機構を構成する連動部材と伝達部材とを透光部材で形成して前記発行部の光を表示部に導く構成となっている。
したがって、この施解錠装置によれば、操作錠部には、発光部や施解錠動作に応じて発光部を点灯制御する構成部品などを備える必要がないから、操作錠部の小型化に有利となる。
【図面の簡単な説明】
【００２７】
【図１】本発明の一実施形態を示す扉用の施解錠装置の分解斜視図である。
【図２】上記した施解錠装置に備える操作錠部を示し、（Ａ）図は同操作錠部の正面図、（Ｂ）図は同操作錠部の側面図、（Ｃ）図は同操作錠部の背面図である。
【図３】上記した施解錠装置の正面図である。
【図４】上記施解錠装置に備える錠本体の内部構造を示した正面図である。
【図５】一部分を断面して示した上記施解錠装置の部分的な拡大側面図である。
【図６】図６（Ａ）は従来例の施解錠装置が備えられたドアの外面側を示した部分的な斜視図、図６（Ｂ）は同ドアの内面側を示した部分的な斜視図である。
【図７】従来例の施解錠装置に付設された操作錠部の拡大正面図である。
【図８】図７に示した操作錠部の内部構成を示した同操作錠部の背面図である。
【発明を実施するための形態】
【００２８】
次に、本発明に係る施解錠装置の一実施形態について図面に沿って説明する。
図１〜図５に示すように、この施解錠装置４０は、扉（図示省略）に装備される錠本体４１と、扉の外側で錠本体４１に取り付けられる操作錠部４２と、扉の内側で錠本体４１に取り付けられるサムターン４３とより構成されている。
【００２９】
そして、錠本体４１には、ハウジング４４によって回転可能に支持させた筒状のハブ４５と、このハブ４５の回転に応動して進退するデッドボルト４６と、後述するプッシュスイッチを動作させる伝達部材４７などが設けてある。
なお、ハブ４５の内周面には筒軸方向に沿って形成した凸形部（被駆動部）４５ａが設けてある。
【００３０】
上記したデッドボルト４６は、進出によって扉枠に設けられたストライクの係止孔に突入し、扉をロックして開放を阻止する。
その他、この錠本体４１には、図４に示すように、ハブ４５を電動駆動するアクチュエータ４８やデッドボルト４６を駆動するラック機構４９、アクチュエータ４８を始動させるスイッチ機構であるプッシュスイッチ５０、受信アンテナやコントローラを構成する電子部品を搭載させたプリント基板５１などが備えてある。
【００３１】
上記の操作錠部４２には、ケース５２より後方向きに突出させたシリンダ錠５３が設けてあり、また、ケース５２の表面にはシャッタを備えるキー挿入孔５４が備えてある。
また、この操作錠部４２のケース表面には、タッチスイッチを形成する操作釦５５と表示部５６とが配置してあり、また、この操作錠部４２の内部には、操作釦５５と一体的に移動する連動部材５７が設けてある。
【００３２】
さらに、本実施形態では、上記の操作錠部４２内に、携帯機（図示省略）に向かって無線信号を出力する送信機５８が備えてあり、ここに送信アンテナ５９が設けてあり、この送信機５８には錠本体４１のプリント基板５１に電気接続するコネクタが設けてある。
なお、扉や錠本体４１のハウジング４４が無線信号の通過に支障を来さない材料で形成されているときは、上記の送信機５８については、プリント基板５１に備えることができる。
【００３３】
上記の操作錠部４２は、図４に示すように、ハブ４５内にシリンダ錠５３を部分的に挿入させるようにして錠本体４１に取り付けてある。
そして、このように取り付けた操作錠部４２は、シリンダ錠５３のシリンダインナーと一体回転する係合板５３ａをハブ４５の凸形部４５ａに係合させてあり、キーによるシリンダインナーの回転にしたがってハブ４５を回転させるようになっている。
【００３４】
一方、上記したプッシュスイッチ５０は、既に述べたように、アクチュエータ４８を始動させて電動的に施解錠させるスイッチで、図４に示したようにプリント基板５１に設けてある。
そして、このプッシュスイッチ５０は、自動複動型の押動スイッチであり、このプッシュスイッチの近くのプリント基板上には、施解錠動作に応じて発光するＬＥＤ６０ａ、６０ｂが発光部として配設してある。
【００３５】
なお、本実施形態の場合、ＬＥＤ６０ａ、６０ｂは、施錠から解錠されることで、緑からオレンジの発光色となり、解錠から施錠されることで、オレンジから緑の発光色となり、扉の開放状態やエラー時には赤色の点滅発光となる。
また、扉の開放状態やエラー時には赤色の点滅発光と共に、ブザー音を発生させるようにしてある。
【００３６】
他方、上記した連動部材５７は、図５に示したように、操作錠部４２のケース５２に進出自在に設けた透光材からなる筒状体のもので、この連動部材５７は操作釦５５と一体的となるように組み込んである。
また、上記した伝達部材４７は、図５に示すように、一端部をプッシュスイッチ５０に対接させ、他端部を錠本体４１のハウジング４４から突出させた透光材からなる短柱状体のものである。
【００３７】
そして、伝達部材４７がプッシュスイッチ５０の複動力によってハウジング４４からの突出勢力を受けているため、その他端部が連結している連動部材５７が複動していることから、操作釦５５が図５に示すように非操作位置となっている。
そして、この状態においてＬＥＤ６０ａ、６０ｂの発光が伝達部材４７と連動部材５７を通って表示部５６に導かれる。
表示部５６は操作釦５５の周囲に設けた透光材で、施解錠状態にしたがって光表示する。
例えば、施錠状態の場合は、緑色光で表示し、解錠の場合はオレンジの色光で表示する。
【００３８】
上記のように構成した施解錠装置は、操作錠部４２の送信機５８から出力される無線信号を受信した携帯機が応答し、この携帯機が出力する無線信号をコントローラの受信機によって受信され、コントローラがその受信信号を信号処置することで施解錠モードとなる。
【００３９】
例えば、携帯機が、操作錠部４２の送信機５８から出力されたチャレンジコード信号と呼び出しコード信号を受信することで、この携帯機がレスポンドコード信号を出力する。
なお、チャレンジコード信号と呼び出しコード信号は、周辺無線機器への電波障害を考慮して、例えば、ＬＦ（１２５ｋＨｚ）の無線信号であり、また、レスポンドコード信号は、ＲＦ（３１５ＭＨｚ）の無線信号である。
そして、錠本体４１の受信機が携帯機からのレスポンドコード信号を受信することで、コントローラがそのレスポンドコード信号が適正なものであるか否かを判断し、適正であることを条件に解錠モードに移行する。
【００４０】
コントローラが解錠モードにある状態で、操作釦５５を押し操作すると、連動部材５７と伝達部材４７が進出移動（図５において右方向移動）し、プッシュスイッチ５０を押動してスイッチ動作させる。
したがって、プッシュスイッチ５０の動作にしたがってアクチュエータ４８が始動してハブ４５を回転駆動する。
なお、ハブ４５にはクラッチ機構が設けてあり、この場合には、シリンダ錠５３による駆動系が遮断されている。
【００４１】
ハブ４５の回転でギア連結したラック機構４９がデッドボルト４６を後退させるように動作し、これより、扉のロックが解錠される。
また、扉の解錠に応じてＬＥＤ６０ａ、６０ｂがオレンジの発光色に変わるため、表示部５６がオレンジ色の表示となる。
本実施形態では、解錠後に扉を開閉したり、所定時間の間、扉の開放が続くと自動的に施錠に複動する構成としてある。
なお、操作釦５５の操作を開放すれば、プッシュスイッチ５０の複動力を受けて操作釦５５が図５に示す非操作位置に戻る。
【００４２】
以上、一実施形態について説明したが、伝達部材４７と連動部材５７は透光材で形成することなく、これらに光を通す孔を形成し、その孔を通してＬＥＤの発光を表示部５６に導く構成とすることもできる。
【産業上の利用可能性】
【００４３】
扉用の施解錠装置や車両用ドアの施解錠装置として適用することができる。
【符号の説明】
【００４４】
４０  施解錠装置
４１  錠本体
４２  操作錠部
４４  ハウジング
４５  ハブ
４７  伝達部材
４８  アクチュエータ
５０  プッシュスイッチ
５１  プリント基板
５２  ケース
５５  操作釦
５６  表示部
５７  連動部材
５８  送信機
６０ａ、６０ｂ  ＬＥＤ
【図１】
0006740555.tif 000002
【図２】
0006740555.tif 000003
【図３】
0006740555.tif 000004
【図４】
0006740555.tif 000005
【図５】
0006740555.tif 000006
【図６】
0006740555.tif 000007
【図７】
0006740555.tif 000008
【図８】
0006740555.tif 000009